(57)【要約】【課題】足と靴の一体化に優れ、体重をかけた時の骨の広がりを確実に抑制できる靴の中敷きを提供すること。【解決手段】踵骨から中足骨までカバーする弾性基材１１と、弾性基材１１の上に固定された踵骨から指節骨までカバーする通気性のクッション材１２とを備える靴の中敷き１であって、外周形状が足裏形状をなすと共に、踵骨から立方骨と楔状骨までを取り囲む湾曲した起立部１３と、前記踵骨から中足骨へと続く縦アーチ領域に当接する上に凸のドーム部１４とを有し、ドーム部１４に下向きの荷重が加わると起立部１３が内側に変形することを特徴とする。【選択図】図１
2014180380.tif 000002
【特許請求の範囲】
【請求項１】
踵骨から中足骨までカバーする弾性基材と、該弾性基材の上に固定された踵骨から指節骨までカバーする通気性のクッション材とを備える靴の中敷きであって、
外周形状が足裏形状をなすと共に、前記踵骨から立方骨と楔状骨までを取り囲む湾曲した起立部と、前記踵骨から前記中足骨へと続く縦アーチ領域に当接する上に凸のドーム部とを有し、前記ドーム部に下向きの荷重が加わると前記起立部が内側に変形することを特徴とする靴の中敷き。
【請求項２】
前記弾性基材は微弾性基材である請求項１に記載の靴の中敷き。
【請求項３】
前記微弾性基材は、樹脂シートを網状繊維でサンドイッチしてなる請求項２に記載の靴の中敷き。
【請求項４】
前記クッション材は複数のシートを重ねた多層構造をしており、該シートの上側シートには多数の孔が形成され、該シートの下側シートは耐摩耗性と通気性を有する請求項１〜３のいずれか１項に記載の靴の中敷き。
【請求項５】
前記起立部の高さは、１５ｍｍ以上である請求項１〜４のいずれか１項に記載の靴の中敷き。
【請求項６】
前記起立部は、厚さが端部方向に漸減する請求項１〜５のいずれか１項に記載の靴の中敷き。
【発明の詳細な説明】
【技術分野】
【０００１】
本願発明は、歩行（ウォーキング）やランニング、ゴルフ、テニスなどの運動をする時に履く靴の中敷きに関する。
【背景技術】
【０００２】
これまでも、運動をする時に履く中敷きが提案されている。例えば、靴底の内表面とほぼ同形状の中敷き本体の爪先部に高さが漸増する弾性傾斜体を設けた中敷きが提案されている（例えば、特許文献１参照。）。
【０００３】
また、連続気泡多孔性材料の中敷き本体の土踏まず内側に隆起部を設け、土踏まず内側端縁を外方へ突出させた中敷きも提案されている（例えば、特許文献２参照。）。
【先行技術文献】
【特許文献】
【０００４】
【特許文献１】特開２０１０−２８４２１２号公報
【特許文献２】特開２００３−３８２０４号公報
【発明の概要】
【発明が解決しようとする課題】
【０００５】
図５に足根部の外側から見た骨格を示す。足根部は、７つの足根骨（踵骨５６、距骨５７、立方骨５８、舟状骨５９、楔状骨６０、指節骨６２）からなっている。足部には、体重による負荷を効果的に吸収し、足底の血管、神経、筋肉の通るスペースを確保するため、いくつかの縦足弓（縦アーチ）が形成されている。縦アーチには、踵骨５６の内側縁から距骨５７、舟状骨５９、楔状骨６０、中足骨６１へと続く内側縦アーチと、踵骨５６の外側縁から立方骨５８、中足骨６１へと続く外側縦アーチとがある。本明細書では、内側縦アーチから外側縦アーチにかけての領域を縦アーチ領域と呼ぶことにする。
【０００６】
縦アーチ領域は、体重がかかると降下する（沈み込む）。さらに、筋バランスの乱れや疲労によりアーチを維持することができず縦アーチ領域の降下が大きくなる。
【０００７】
足の縦アーチ領域は床や地面からの衝撃を吸収する機能を有している。したがって、縦アーチ領域の降下が生ずると、疲労や痛みにつながり、また、足の力が床や地面に伝わり難くなる。
【０００８】
また、特にアスリートの場合、足が靴を介して床や地面を確実に捕える必要がある。そのためには、足と靴の一体化を図る必要があり、中敷きと足との密着性も重要になる。
【０００９】
足と靴を一体化するために中敷きが使用されるが、上記従来の中敷きは、一体化する性能が劣っていた。
【００１０】
また、従来の中敷きは密着性の観点で製作されていなかったので足との密着性が良くなかった。
【００１１】
本発明は、上記の問題に鑑みてなされたものであり、足の縦アーチ領域の衝撃吸収機能を阻害することなく縦アーチ領域を持ち上げ、且つ足と中敷きとの一体化が図られる靴の中敷きを提供することを課題とする。
【課題を解決するための手段】
【００１２】
課題を解決するためになされた本発明の靴の中敷きは、踵骨から中足骨までカバーする弾性基材と、該弾性基材の上に固定された踵骨から指節骨までカバーする通気性のクッション材とを備える靴の中敷きであって、外周形状が足裏形状をなすと共に、前記踵骨から立方骨と楔状骨までを取り囲む湾曲した起立部と、前記踵骨から前記中足骨へと続く縦アーチ領域に当接する上に凸のドーム部とを有し、前記ドーム部に下向きの荷重が加わると前記起立部が内側に変形することを特徴とする。
【００１３】
体重がかかると、弾性基材でできたドーム部が足の縦アーチ領域で押し下げられる。すると、その押し下げられる応力で起立部が内側に変形するので、足と中敷きとの一体化が図られ、足と中敷きとの密着性が向上し、側方への足の動揺も抑制される。
【００１４】
上記の靴の中敷きにおいて、前記弾性基材は微弾性基材であるとよい。これにより、ドーム部に下向きの荷重が加わると起立部が内側に容易に変形することができる。
【００１５】
また、前記微弾性基材は、樹脂シートを網状繊維でサンドイッチしてなるとよい。これにより、基材の摩耗・破損が生じにくくなる。
【００１６】
また、前記クッション材は、複数のシートを重ねた多層構造をしており、該シートの上側シートには多数の孔が形成され、該シートの下側シートは耐摩耗性と通気性を有するとよい。これにより、通気性とクッション性を向上させることができる。
【００１７】
また、前記起立部の高さは、１５ｍｍ以上であるとよい。骨を高さ方向に幅広く包み込むことができる。
【００１８】
また、前記起立部は、厚さが端部方向に漸減するとよい。これにより、靴と中敷き及び中敷きと足の隙間が少なくなり、足と靴との一体化が促進される。
【発明の効果】
【００１９】
体重がかかると、弾性基材でできたドーム部が足の縦アーチ領域で押し下げられる。すると、その押し下げられる応力で起立部が内側に変形するので、足と中敷きとの一体化が図られ、足と中敷きとの密着性が向上し、側方への足の動揺も抑制される。
【図面の簡単な説明】
【００２０】
【図１】本実施形態に係る靴の中敷きの斜視図である。
【図２】図１のＡ１−Ａ１線断面図である。
【図３】図１のＡ２−Ａ２線断面図である。
【図４】弾性基材の部分拡大断面図である。
【図５】クッション材の部分拡大断面図である。
【図６】足の骨格図である。
【発明を実施するための形態】
【００２１】
以下、添付図面を参照して、本発明を実施する形態を詳細に説明する。
【００２２】
本実施形態に係る靴の中敷き１は、図１〜３に示すように、踵骨から中足骨までカバーする弾性基材１１の上に踵骨から指節骨までカバーする通気性のクッション材１２が積層されてなる。また、中敷き１は、踵骨から立方骨と舟状骨までを取り囲む湾曲した起立部１３と、中足骨に当接する上に凸の中足骨アーチ部１４とを備えている。
【００２３】
中足骨アーチ部１４は、長軸が中心線ＣＬに沿う楕円状をしており、その後端部は立方骨５８と舟状骨５９に当接する位置まで伸びている。
【００２４】
中敷き１の踵骨５６に当接する部位は、図３に示すようにドーム状に湾曲しており、起立部１３の厚さが端部方向に漸減している。したがって、起立部１３の上端部にはクッション材１２のみが露出している。また、起立部１３の上端の延長線と垂線ＶＬとのなす角はθ（＞０）であり、起立部１３は左右方向にθだけ開いている。
【００２５】
本実施形態の中敷き１は上記のような形状をしているので、靴にセットして足を入れる（靴を履く）際、起立部１３に邪魔されることがない。また、中足骨アーチ部１４が押し下げられると、点線矢印で示す内向きの応力がかかり、起立部１３が内側に弾性変形するので足と靴の一体化が図られ、足と中敷きとの密着性が向上し、側方への足の動揺も抑制される。
【００２６】
また、起立部１３の高さは、１５ｍｍ以上であるとよい。骨を高さ方向に幅広く包み込むことができる。
【００２７】
弾性基材１１は、弾性を有するものであればよく、例えば、エチレンビニルアセテート、ポリオレフィン発泡体、ポリウレタン発泡体、熱可塑性ポリウレタン、ゴム等を挙げることができるがこれらに限定されるものではない。好ましくは図４に示すような、所謂可撓性（微弾性）材料製である。すなわち、弾性基材１１は、熱可塑性樹脂シート１１ｂを網状繊維１１ａでサンドイッチして成形した複合材料である。したがって、厚さが１．５ｍｍ未満と薄くても強度があり微弾性を示すことができる。
【００２８】
クッション材１２の材質としては、例えば、エチレンビニルアセテート、ポリオレフィン発泡体、ポリウレタン発泡体、熱可塑性ポリウレタン、ゴム等を挙げることができるがこれらに限定されるものではない。好ましくは、図５に示すような、通気性に優れた材料製である。すなわち、クッション材１２は、上側シート１２ａと中間シート１２ｂと下側シート１２ｃからなる３層構造を有し、上側シート１２ａには多数の孔が形成され、下側シート１２ｃの下面に凹凸パターンが形成されている。したがって、図５に示すクッション材１２は、通気性とクッション性に非常に優れている。
【００２９】
本実施形態の中敷きにおけるクッション材１２は上記したように、３層構造であったが、３層に限定されるものではない。２層でも４層でも５層でも・・・よい。何層でもよいが、一番上の層のシートに多数の孔が形成され、一番下のシートは耐摩耗性と通気性を有することが好ましい。
【符号の説明】
【００３０】
１・・・・・・・・靴の中敷き
１１・・・・・・弾性基材
１１ａ・・・・網状繊維
１１ｂ・・・・樹脂シート
１２・・・・・・クッション材
１２ａ・・・・上側シート
１２ｂ・・・・中間シート
１２ｃ・・・・下側シート
１３・・・・・・起立部
１４・・・・・・ドーム部
【図１】
2014180380.tif 000003
【図２】
2014180380.tif 000004
【図３】
2014180380.tif 000005
【図４】
2014180380.tif 000006
【図５】
2014180380.tif 000007
【図６】
2014180380.tif 000008